(57)【要約】      （修正有）【課題】整理する物品の量、大きさに応じて、各区画スペースを様々に調整できる整理用仕切り具を提供する。【解決手段】支持底板１０と、これに対して直立して設置された可動仕切り板３０からなる整理用仕切り具であり、支持底板１０の両端にはレール１３ａ、１３ｂが形成され、可動仕切り板３０の下部両端部には支持底板１０を跨いで各レールをスライド可能に把持する仕切り支持部３３ａ、３３ｂが設けられ、支持底板１０上を可動仕切り板３０が水平移動可能である。【選択図】図１
0003232515.tif 000002
【実用新案登録請求の範囲】
【請求項１】
支持底板と、これに対して直立して設置された可動仕切り板からなる整理用仕切り具であり、
前記支持底板の両端にはレールが形成され、
前記可動仕切り板の下部両端部には支持底板を跨いで各レールをスライド可能に把持する仕切り支持部が設けられ、支持底板上を可動仕切り板が水平移動可能な整理用仕切り具。
【請求項２】
支持底板が平面視にて略矩形をなし、一対の対向する側端辺並びにこれに略直交した先端辺及び該先端辺に平行な終端辺を有し、側端辺の各々にはレールが平行に設けられている請求項１の整理用仕切り具。
【請求項３】
先端辺には支持底板の上面より段落ち構造にて延伸した舌状の連結部が設けられ、該連結部の上面には先端辺に平行な嵌合用溝が設けられており、
終端辺付近の下面側には、終端辺に平行に前記嵌合用溝に対応した形状であって、これに嵌り込む帯状突起をなす協働連結部が設けられてなる請求項２の整理用仕切り具。
【請求項４】
先端辺には支持底板の上面より段落ち構造にて延伸した舌状の連結部が設けられ、該連結部の上面には嵌合凹部が設けられており、
終端辺付近の下面側には、前記嵌合凹部に嵌り込む突起をなす協働連結部が設けられてなる請求項２の整理用仕切り具。
【請求項５】
先端辺には噛み合わせ用の切り欠き凹部を形成した連結部が設けられ、
終端辺には、該切り書き凹部に嵌り込む形状をなす嵌合凸部を備えた協働連結部が設けられてなる請求項２の整理用仕切り具。
【考案の詳細な説明】
【技術分野】
【０００１】
本考案は様々な物品を効率よく整理して収納できるように作製された整理用仕切り具である。
【背景技術】
【０００２】
人が必要とする物品を限られた空間に効率よく収納し、必要な時に適格、迅速に取り出すことができるよう整理、収納することは、家庭、職場を問わず生活をするうえで望まれることであり、これまでも種々の工夫がなされている。
本考案の整理用仕切り具は家庭内における身の回り品、衣類、小物など、様々な物品を効率よく整理することができる収納に便利な整理用仕切り具である。特に引き出し式収納ボックス内に用いた収納物の整理、収納に適している。
【先行技術文献】
【特許文献】
【０００３】
【特許文献１】特開２００３−２４１５７
【特許文献２】実用新案登録第３１８６４６８号
【考案の概要】
【考案が解決しようとする課題】
【０００４】
整理する物品の量、大きさに応じて、各区画スペースを様々に調整できる整理用仕切り具を提供する。
【課題を解決するための手段】
【０００５】
(ｉ)本考案は、支持底板と、これに対して直立して設置された可動仕切り板からなる整理用仕切り具であり、
前記支持底板の両端にはレールが形成され、
前記可動仕切り板の下部両端部には支持底板を跨いで各レールをスライド可能に把持する仕切り支持部が設けられ、支持底板上を可動仕切り板が水平移動可能な整理用仕切り具
である。さらに、本願は下記の考案を含む。
(ii)支持底板が平面視にて略矩形をなし、一対の対向する側端辺並びにこれに略直交した先端辺及び該先端辺に平行な終端辺を有し、側端辺の各々にはレールが平行に設けられている前記(ｉ)の整理用仕切り具。
(iii)先端辺には支持底板の上面より段落ち構造にて延伸した舌状の連結部が設けられ、該連結部の上面には先端辺に平行な嵌合用溝が設けられており、
終端辺付近の下面側には、終端辺に平行に前記嵌合用溝に対応した形状であって、これに嵌り込む帯状突起をなす協働連結部が設けられてなる前記(ii)の整理用仕切り具。
(iv)先端辺には支持底板の上面より段落ち構造にて延伸した舌状の連結部が設けられ、該連結部の上面には嵌合凹部が設けられており、
終端辺付近の下面側には、前記嵌合凹部に嵌り込む突起をなす協働連結部が設けられてなる前記(ii)の整理用仕切り具。
(ｖ)先端辺には噛み合わせ用の切り欠き凹部を形成した連結部が設けられ、
終端辺には、該切り書き凹部に嵌り込む形状をなす嵌合凸部を備えた協働連結部が設けられてなる前記(ii)の整理用仕切り具。
【考案の効果】
【０００６】
本考案の整理用仕切り具は、支持底板に対し垂直に設けられた仕切り板が水平方向にスライド可能である。この支持底板に連結部、協働連結部を設けることにより複数の連結が可能である。このため使用場面に応じて仕切り板の位置・枚数を自由に調整することができる。この整理用仕切り具は、身の回り品、衣類、小物など様々な物品を効率よく整理して収納でき、特に引き出し式収納ボックス内に用いることができる。
【図面の簡単な説明】
【０００７】
【図１】整理用仕切り具を示す斜視図(ａ)及びその下面方向からの斜視図(ｂ)である。
【図２】図１(ａ)に示す整理用仕切り具の垂直断面方向からの断面斜視図である。
【図３】支持底板への可動仕切り板の取り付けを示す説明図である。
【図４】可動仕切り板の可動域を示す説明図である。
【図５】整理用仕切り具の支持底板を複数連結する過程を示す説明図である。
【図６】連結した整理用仕切り具における可動仕切り板の可動域を示す説明図である。
【図７】支持底板の連結部-協働連結部の他の態様を示す説明図である。
【図８】仕切り板面の他の態様を示す説明図である。
【考案を実施するための形態】
【０００８】
つぎに図面を参照しつつ具体例を用いて本考案を更に詳しく説明する。図１〜図３は本考案の整理用仕切り具の一具体例を示す図面である。
本考案の整理用仕切り具は、支持底板１０と、これに対して直立して設置された可動仕切り板３０からなる。
【０００９】
前記支持底板１０は平面視にて略矩形をなし、一対の対向する側端辺１１ａ，１１ｂおよびこれに略直交した先端辺１５及びこれに平行な終端辺１７を有する。
側端辺の各々にはレール１３ａ、１３ｂが平行に設けられている。
先端辺１５には支持底板の上面より段落ち構造にて延伸した舌状の連結部１９が設けられ、該連結部の上面には先端辺に平行な嵌合用溝２１が設けられる。
【００１０】
図１(ｂ)に示すように終端辺１７付近の下面側には、終端辺に平行に形成され前記嵌合用溝に対応した形状を有し、これに嵌り込む帯状突起２３をなす協働連結部２４が設けられる。
また、支持底板１０の下面には、前記レール１３ａ,１３ｂの内側に、これに平行に一対のリブ状の案内レール２５ａ,２５ｂが設けられる。該案内レールにおいて、終端辺付近には、水平に差し込まれる前記連結部１９の両側部を位置決めしてガイドする水平な連結ガイド片２７ａ,２７ｂが設けられる。
【００１１】
一方、可動仕切り板３０は、支持底板１０に対して直立して配置され、その上部は物品の仕切りをなす仕切り板面３１が形成される。
可動仕切り板３０の下部両端部には支持底板１０を跨いで各レール１３ａ,１３ｂをスライド可能に把持する仕切り支持部３３ａ,３３ｂが設けられる。各仕切り支持部は断面が片仮名「コ」の字形で開放部３２ａ，３２ｂが内側に向けて形成される。この仕切り支持部は前記レール１３ａ、１３ｂを支持底板１０の外側から内側に向けて挟み込む。
このように、可動仕切り板が支持底板のレール１３ａ,１３ｂを内側に向け挟み込むことにより、可動仕切り板３０は支持底板１０を跨いで支持底板１０の上面をレール方向に沿い、先端辺から終端辺の位置まで自在に水平移動して停止位置を任意に設定することができる(図４参照)。
【００１２】
本考案において、複数の整理用仕切り具を連結するには、図５に示すように第１の仕切り具の先端辺にある連結部１９を、連結相手となる第２の仕切り具の支持底板の終端辺の下面側にあて、連結ガイド片２７ａ,２７ｂにそって差し込むことにより、連結部の嵌合用溝２１に協働連結部２４の帯状突起２３が嵌り込んで係合を生じ、第１と第２の支持底板の連結が行われる。連結部１９と協働連結部２４のこのような係合により複数の支持底板の連結が行われ、必要なだけレール１３ａ,１３ｂが延伸され、これに沿い仕切り支持部３３ａ,３３ｂがスライドし、可動仕切り板３０は複数の支持底板に及ぶ広い範囲の所望の箇所にて仕切り板の機能をはたす(図６)。
【００１３】
前記連結部の他の形態としては、先端辺には支持底板の上面より段落ち構造にて延伸した舌状の連結部が設けられ、該連結部の上面には嵌合凹部が設けられており、終端辺付近の下面側には、前記嵌合凹部に嵌り込む突起をなす協働連結部が設けられてなる形状、例えば図７(ａ)の連結部と協働連結部が例示される。
また、先端辺には噛み合わせ用の切り欠き凹部を形成した連結部が設けられ、終端辺には、該切り書き凹部に嵌り込む形状をなす嵌合凸部を備えた協働連結部が設けられてなる形状、例えば図７(ｂ)の連結部と協働連結部が例示される。その他、当該技術分野において公知の同様の連結機構を適宜に採用することができる。
【００１４】
可動仕切りの仕切り支持部については、前記具体例の形状(片仮名の「コ」)のほか、レール断面形状に適合するように適宜の断面形状とすることができる。
可動仕切り板３０は使用場面に応じ適宜に位置・枚数を調整することができる(図６)。また、可動仕切り板の仕切り板面３１には様々な形状、意匠が施すことができ、周辺部にリブを設ける、装飾をほどこす、或いは仕切り板面に様々な配置の穴を設けるなどしてもよい(図８)。
【産業上の利用可能性】
【００１５】
本考案の整理用仕切り具は、支持底板に対し垂直に設けられた仕切り板が水平方向にスライド可能であり、さらに支持底板に連結部、協働連結部を設けることにより複数の連結が可能となる。整理する物品の量、大きさに応じて、各区画スペースを様々に調整できる整理用仕切り具が提供できる。
【符号の説明】
【００１６】
１０      支持底板                １１ａ，１１ｂ    側端辺  
１３ａ，１３ｂ    レール                          １５      先端辺  
１７      終端辺                          １９      連結部
２１      嵌合用溝                        ２３      帯状突起
２４      協働連結部              ２５ａ，２５ｂ    案内レール
２７ａ，２７ｂ    連結ガイド片
３０      可動仕切り板                    ３１      仕切り板面    
３２ａ，３２ｂ    開放部                  ３３ａ，３３ｂ    仕切り支持部
【図１】
0003232515.tif 000003
【図２】
0003232515.tif 000004
【図３】
0003232515.tif 000005
【図４】
0003232515.tif 000006
【図５】
0003232515.tif 000007
【図６】
0003232515.tif 000008
【図７】
0003232515.tif 000009
【図８】
0003232515.tif 000010